(57)【要約】【課題】組み付け作業に手間をかけないで強固に組み付けることができるコンクリート型枠組付構造を提供する。【解決手段】コンクリート型枠組付構造１０は、せき板（せき板２１、せき板２２、せき板２３）を有する、せき板は、第一せき板（せき板２１）と、第一せき板に対して角度を有して配設される第二せき板（せき板２２、せき板２３）と、を含み、第一せき板と連結される第一板部４１と、第一板部４１に対して屈曲するとともに第二せき板と連結される第二板部４２と、を有する継手部材４０を備え、第一せき板と第一板部４１との間、第二せき板と第二板部４２との間、のうち少なくとも一方が、ピーコン６０を介して連結されている。【選択図】図１
0003222368.tif 000002
【実用新案登録請求の範囲】
【請求項１】
せき板を有するコンクリート型枠組付構造であって、
前記せき板は、第一せき板と、前記第一せき板に対して角度を有して配設される第二せき板と、を含み、
前記第一せき板と連結される第一板部と、前記第一板部に対して屈曲するとともに前記第二せき板と連結される第二板部と、を有する継手部材を備え、
前記第一せき板と前記第一板部との間、前記第二せき板と前記第二板部との間、のうち少なくとも一方が、ピーコンを介して連結されていることを特徴とするコンクリート型枠組付構造。
【請求項２】
前記第一せき板と前記第一板部との間、前記第二せき板と前記第二板部との間、のいずれもが、前記ピーコンを介して連結されていることを特徴とする請求項１記載のコンクリート型枠組付構造。
【請求項３】
前記ピーコンと連結される、前記第一板部、又は／及び、前記第二板部が、連結杆を介して連結されていることを特徴とする請求項１又は２記載のコンクリート型枠組付構造。
【請求項４】
前記第一せき板と前記第一板部との間、前記第二せき板と前記第二板部との間、のうち一方が、前記ピーコンを介して連結されている場合に、
前記ピーコンを介して連結されない、前記第一板部、又は、前記第二板部が、対向する前記第一せき板、前記第二せき板と当接した状態であることを特徴とする請求項１に記載のコンクリート型枠組付構造。
【請求項５】
前記ピーコンと連結される、前記第一板部、又は、前記第二板部が、連結杆を介して連結されていることを特徴とする請求項４記載のコンクリート型枠組付構造。
【考案の詳細な説明】
【技術分野】
【０００１】
本考案は、せき板を組み立てて構成されるコンクリート型枠組付構造に関するものである。
【背景技術】
【０００２】
従来のコンクリート型枠組付構造では、コンクリートを打設して、柱、コーナを形成する場合に、せき板を組み合わせてコンクリート型枠を形成するが、その際、線材、チェーンを巻き付けたり、釘止め等したりして、せき板どうしを組み付けしていた。
【考案の概要】
【考案が解決しようとする課題】
【０００３】
しかし上記のコンクリート型枠組付構造では、組み付け作業に手間がかかるうえ、コンクリート打設時の内圧で、せき板間に隙間が生じやすいという問題があった。
【０００４】
本考案は、上記事情に鑑み、組み付け作業に手間をかけないで強固に組み付けることができるコンクリート型枠組付構造を提供することを目的とする。
【課題を解決するための手段】
【０００５】
請求項１記載の考案では、せき板を有するコンクリート型枠組付構造であって、
前記せき板は、第一せき板と、前記第一せき板に対して角度を有して配設される第二せき板と、を含み、
前記第一せき板と連結される第一板部と、前記第一板部に対して屈曲するとともに前記第二せき板と連結される第二板部と、を有する継手部材を備え、
前記第一せき板と前記第一板部との間、前記第二せき板と前記第二板部との間、のうち少なくとも一方が、ピーコンを介して連結されている。
【０００６】
これによれば、継手部材を用いて、第一せき板と第二せき板を固定できるので、組み付け作業に手間をかけないで、隙間を開けることなく強固に組み付けることができる。また、第一せき板と第一板部との間、第二せき板と第二板部との間、のうち少なくとも一方を、ピーコンを介して連結することで、面ゾロ工法、面落ち工法を用いて、モルタル等の充填を行うことが可能となるので、コンクリートの仕上がり状態を良好なものとすることができる。
【０００７】
また、前記第一せき板と前記第一板部との間、前記第二せき板と前記第二板部との間、のいずれもが、前記ピーコンを介して連結されている。
【０００８】
これによれば、コンクリートの仕上がり状態を良好にすることに寄与する。
【０００９】
また、前記ピーコンと連結される、前記第一板部、又は／及び、前記第二板部が、連結杆を介して連結されている。
【００１０】
これによれば、例えば、図５に参照するようなベランダにコンクリートを打設するような場合に、好適なものとなる。
【００１１】
また、前記第一せき板と前記第一板部との間、前記第二せき板と前記第二板部との間、のうち一方が、前記ピーコンを介して連結されている場合に、
前記ピーコンを介して連結されない、前記第一板部、又は、前記第二板部が、対向する前記第一せき板、前記第二せき板と当接した状態である。
【００１２】
これによれば、第一板部、又は、第二板部が、対向する第一せき板、第二せき板と継手部材で直接連結されるので、隙間を開けることなく強固に組み付けることに寄与する。
【００１３】
また、前記ピーコンと連結される、前記第一板部、又は、前記第二板部が、連結杆を介して連結されている。
【００１４】
これによれば、ベランダにコンクリートを打設するような場合に、好適なものとなる。
【図面の簡単な説明】
【００１５】
【図１】本考案の一実施形態のコンクリート型枠組付構造の平面図である。
【図２】同実施形態の平面断面図である。
【図３】同実施形態の右斜め上からみた部分斜視図である。
【図４】継手部材の（ａ）は縦断面図、（ｂ）は側面図である。
【図５】本考案の他の実施形態のコンクリート型枠組付構造の側断面図である。
【考案を実施するための形態】
【００１６】
本考案のコンクリート型枠組付構造の一実施形態について図面に基づいて説明する。以下の説明では、各図面に付される矢印の、Ｆを前、Ｂを後ろ、Ｒを右、Ｌを左、Ｕを上、Ｄを下、とする。
【００１７】
コンクリート型枠組付構造１０（以下、組付構造１０とし、区別するときは組付構造１０１、組付構造１０２とする）は、図１〜３に示すように、コンクリート型枠２０と、継手部材４０と、ピーコン６０と、で構成されている。
【００１８】
コンクリート型枠２０は、せき板２１、せき板２２、せき板２３と、さん木２９と、を備え、本実施形態では、四角柱状に突出するコンクリートＣ部分を形成するものである。そして、せき板２１、せき板２２、せき板２３は、木製で、せき板２１に対して、せき板２２、せき板２３がそれぞれ略直交するように配置されて上下方向からみて、略コの字状に配置される。
【００１９】
継手部材４０（区別するときは、継手部材４０１、継手部材４０２等とする。）は、図１〜４に示すように、第一板部４１と、第二板部４２と、を有して略Ｌ字状に形成されている。本実施形態では、等辺山形鋼等を切断して形成され、コンクリートＣによる腐食を防止するためめっき加工が施されている。なお、継手部材４０は、平板を折り曲げて形成することも可能である。
【００２０】
第一板部４１、第二板部４２には、図２、４に示すように、厚さ方向に貫通するとともに、雌ねじが形成されたねじ孔４１ａ、４２ａがそれぞれ配設されている。
【００２１】
ねじ孔４１ａ、４２ａは、後述する、既存のボルトＢ、連結杆８０の雄ねじ部８０ａ、８０ｂと螺合可能に形成されている。
【００２２】
ピーコン６０（区別するときは、ピーコン６０１、ピーコン６０２、ピーコン６０３、ピーコン６０４等とする。）は、図１〜３に示すように、プラスチックで円錐台形状に形成された円錐台部６１の軸心位置に、雄ねじ部６２ａを有した金属製のボルト部材６２を固定して構成される。ボルト部材６２は、その頭部の軸心位置に、先端側から雌ねじ部６２ｂが配設され、ボルト部材６２は円錐台部６１の内部に埋設されて固定される。ボルト部材６２の頭部の雌ねじ部６２ｂは、後述する、既存のボルトＢ、連結杆８０の雄ねじ部８０ａ、８０ｂと螺合可能となっている。
【００２３】
組付構造１０の実施態様を、図１〜３に基づいて説明する。まず、組付構造１０１における、せき板２１とせき板２２との組み付け態様を説明する。なお、本明細書における「直交」の解釈としては、物理的に「直交」であるものだけでなく、寸法公差、加工精度による製品のばらつき等、出願時の技術常識を参酌して「略直交」するものが含まれるものとする。
【００２４】
せき板２１に貫通孔を形成し、せき板２１の内側から貫通孔にピーコン６０１の雄ねじ部６２ａを挿通して、せき板２１の外側で既存のナットＮで締結して固定する。
【００２５】
また、せき板２２に貫通孔を形成し、せき板２２の内側から貫通孔にピーコン６０２の雄ねじ部６２ａを挿通して、せき板２２の外側においてナットＮで締結して固定する。
【００２６】
そして、せき板２１とせき板２２を、上下方向からみて直交させて配置し、継手部材４０１の、第一板部４１にせき板２１を対向させるとともに、第二板部４２にせき板２２を対向させる。
【００２７】
第一板部４１の内側からねじ孔４１ａに既存のボルトＢを螺合させ、さらに、ピーコン６０１の雌ねじ部６２ｂとも螺合させる。
【００２８】
また、第二板部４２の内側からねじ孔４２ａにボルトＢを螺合させ、さらに、ピーコン６０２の雌ねじ部６２ｂとも螺合させる。
【００２９】
以上の工程を経て、せき板２１と、せき板２２とが、継手部材４０１により、直交した状態で固定される。なお、図３に示すように、上下方向において複数の継手部材４０１を配して、せき板２１とせき板２２とを固定している。
【００３０】
次に、組付構造１０２における、せき板２１とせき板２３との組み付け態様を説明する。
【００３１】
せき板２１に貫通孔を形成し、せき板２１の内側から貫通孔にピーコン６０３の雄ねじ部６２ａを挿通して、せき板２１の外側で既存のナットＮで締結して固定する。
【００３２】
また、せき板２３に貫通孔を形成し、せき板２３の内側から貫通孔にピーコン６０４の雄ねじ部６２ａを挿通して、せき板２２の外側においてナットＮで締結して固定する。
【００３３】
そして、せき板２１とせき板２３を、上下方向からみて直交させて配置し、継手部材４０２の、第一板部４１にせき板２１を対向させるとともに、第二板部４２にせき板２３を対向させる。
【００３４】
第一板部４１の内側からねじ孔４１ａに既存のボルトＢを螺合させ、さらに、ピーコン６０３の雌ねじ部６２ｂとも螺合させる。
【００３５】
また、第二板部４２の内側からねじ孔４２ａにボルトＢを螺合させ、さらに、ピーコン６０４の雌ねじ部６２ｂとも螺合させる。
【００３６】
以上の工程を経て、せき板２１と、せき板２３とが、継手部材４０２により、直交した状態で固定される。なお、図示していないが、上下方向において複数の継手部材４０２を配して、せき板２１とせき板２３とを固定している。
【００３７】
以上のことより、組付構造１０１における、せき板２１とせき板２２との関係でみれば、せき板２１が第一せき板となり、せき板２２が第二せき板となる。また、組付構造１０２における、せき板２１とせき板２３との関係でみれば、せき板２１が第一せき板となり、せき板２３が第二せき板となる。
【００３８】
コンクリート型枠２０の組み付けが完了したら、コンクリートＣを打設する。コンクリート型枠２０を取り外すときには、せき板２１の外側のナットＮを雄ねじ部６２ａから外し、次にせき板２１とせき板２２とせき板２３を外し、そして、各ピーコン６０を取り外すことで、取り外しが完了する。
【００３９】
上記構成の組付構造１０では、せき板（せき板２１、せき板２２、せき板２３）を有するコンクリート型枠組付構造であって、
せき板は、第一せき板（せき板２１）と、第一せき板に対して角度を有して配設される第二せき板（せき板２２、せき板２３）と、を含み、
第一せき板と連結される第一板部４１と、第一板部４１に対して屈曲するとともに第二せき板と連結される第二板部４２と、を有する継手部材４０を備え、
第一せき板と第一板部４１との間、第二せき板と第二板部４２との間、のうち少なくとも一方が、ピーコン６０を介して連結されている。
【００４０】
これによれば、継手部材４０を用いて、第一せき板（せき板２１）と第二せき板（せき板２２、せき板２３）を固定できるので、組み付け作業に手間をかけないで、隙間を開けることなく強固に組み付けることができる。また、第一せき板と第一板部４１との間、第二せき板と第二板部４２との間、のうち少なくとも一方を、ピーコン６０を介して連結することで、面ゾロ工法、面落ち工法を用いて、モルタル等の充填を行うことが可能となるので、コンクリートＣの仕上がり状態を良好なものとすることができる。
【００４１】
また、第一せき板（せき板２１）と第一板部４１との間、第二せき板（せき板２２、せき板２３）と第二板部４２との間、のいずれもが、ピーコン６０を介して連結されている。
【００４２】
これによれば、コンクリートＣの仕上がり状態を良好にすることに寄与する。
【００４３】
本考案の他の実施形態を図面に基づいて説明をする。組付構造１０１、組付構造１０２と共通する構成については、同一符号を付してそれらの説明の全部又は一部を省略する。
【００４４】
本実施形態では、ベランダＶにコンクリートＣを打設する場合について説明する。
【００４５】
連結杆８０（区別するときは、連結杆８０１、連結杆８０２とする）は、図５に示すように、鋼製の丸棒部材の長手方向における両側端部に、雄ねじ部８０ａ、８０ｂを設けて形成され、ピーコン６０と継手部材４０とを連結可能な長さに形成されている。
【００４６】
組付構造１０３は、図５に示すように、せき板２４とせき板２５とが直交して配置されている。せき板２４とピーコン６０５と継手部材４０３の第一板部４１とは、上記のせき板２１とピーコン６０１と継手部材４０１の第一板部４１と同様に組み付けられている。
【００４７】
せき板２５と継手部材４０３の第二板部４２とは、ピーコン６０６と連結される第二板部４２が、連結杆８０１を介して連結されている。詳説すれば、ピーコン６０６の雌ねじ部６２ｂと連結杆８０１の雄ねじ部８０ａとを螺合するとともに、第二板部４２のねじ孔４２ａと連結杆８０１の雄ねじ部８０ｂとを螺合し、かつ、ナットＮ止めしている。
【００４８】
以上の工程を経て、せき板２４と、せき板２５とが直交した状態で固定されている。
【００４９】
組付構造１０４は、図５に示すように、せき板２４とせき板２６とが間隔を設けた状態で、直交して配置されている。せき板２４とピーコン６０７と継手部材４０４の第一板部４１とは、連結杆８０２を介して上記のせき板２５とピーコン６０６と継手部材４０３の第二板部４２と同様に組み付けられている。
【００５０】
せき板２６に貫通孔を設け、ボルトＢ、ナットＮを用いて、継手部材４０４の第二板部４２は、対向するせき板２６と直接連結されている。
【００５１】
上記構成の組付構造１０４では、第一せき板となるせき板２４と第一板部４１との間が、ピーコン６０７を介して連結されている場合であって、
ピーコン６０を介して連結されない、第二板部４２が、対向する第二せき板となるせき板２６と当接した状態である。
【００５２】
これによれば、第二板部４２が、対向するせき板２６と継手部材４０４で直接連結されるので、隙間を開けることなく強固に組み付けることに寄与する。
【００５３】
上記構成の組付構造１０３、組付構造１０４では、ピーコン６０６、ピーコン６０７と連結される、第一板部４１、又は、第二板部４２が、連結杆８０１、連結杆８０２を介して連結されている。
【００５４】
これによれば、ベランダＶにコンクリートＣを打設するような場合に、好適なものとなる。
【００５５】
本考案のコンクリート型枠組付構造は上記構成に限定されるものではない。即ち、本考案の要旨を逸脱しない限り各種の設計変更等が可能である。以下に、変形した態様を例示する。
【００５６】
例えば、第一板部４１と対向する第一せき板とを当接させることも可能である。
【００５７】
また、ピーコン６０と連結される、第一板部４１、又は／及び、第二板部４２を、適宜に連結杆８０を介して連結する構成とすることも可能である。
【００５８】
また、第一せき板と、第二せき板とが、直交する以外に、鈍角、鋭角となるように配し、それに対応して継手部材４０の第一板部４１、と第二板部４２とが鈍角、鋭角となるように形成することも可能である。
【符号の説明】
【００５９】
１０  コンクリート型枠組付構造（組付構造）
１０１  コンクリート型枠組付構造（組付構造）
１０２  コンクリート型枠組付構造（組付構造）
１０３  コンクリート型枠組付構造（組付構造）
１０４  コンクリート型枠組付構造（組付構造）
２１  せき板
２２  せき板
２３  せき板
２４  せき板
２５  せき板
２６  せき板
４０  継手部材
４０１  継手部材
４０２  継手部材
４０３  継手部材
４０４  継手部材
４１  第一板部
４２  第二板部
６０  ピーコン
６０１  ピーコン
６０２  ピーコン
６０３  ピーコン
６０４  ピーコン
６０５  ピーコン
６０６  ピーコン
６０７  ピーコン
８０  連結杆
【図１】
0003222368.tif 000003
【図２】
0003222368.tif 000004
【図３】
0003222368.tif 000005
【図４】
0003222368.tif 000006
【図５】
0003222368.tif 000007